(57)【要約】【課題】走行中に、他の車両とメッセージ交換を容易に行うこと。【解決手段】電子機器２であって、表示部１１の第１表示領域に複数の定型（かつ定形）文メッセージに対応する複数の第１アイコンを表示し、表示部１１の第２表示領域に通信先に対応する第２アイコンを表示する表示制御部と、第１表示領域に複数の第１アイコンが表示されている状態で、少なくとも１つの第１アイコンが指定されたことに応答して、無線通信部２０を介して、第２表示領域に表示された第２アイコンに対応する通信先に指定された第１アイコンに対応する定型（かつ定形）文メッセージを送信するメッセージ処理部とを備える。【選択図】図１
2015170098.tif 000002
【特許請求の範囲】
【請求項１】
無線通信部と表示部とを備える電子機器を、
前記表示部の第１表示領域に複数の定型化されかつ定型のマーク／絵／図形によるメッセージに対応する複数の第１アイコンを表示し、前記表示部の第２表示領域に通信先に対応する第２アイコンを表示する表示制御部、
前記第１表示領域に前記複数の第１アイコンが表示されている状態で、少なくとも１つの第１アイコンが指定されたことに応答して、前記無線通信部を介して、前記第２表示領域に表示された第２アイコンに対応する通信先に前記指定された第１アイコンに対応する定型化されかつ定型のマーク／絵／図形によるメッセージを送信するメッセージ処理部、
として機能させるためのプログラム。
【請求項２】
前記複数の定型化されかつ定型のマーク／絵／図形によるメッセージは、通信先からの定型化されかつ定型のマーク／絵／図形によるメッセージに応答するための第１の定型化されかつ定型のマーク／絵／図形によるメッセージを含むことを特徴とする請求項１に記載のプログラム。
【請求項３】
前記複数の定型化されかつ定型のマーク／絵／図形によるメッセージは、前記電子機器の通信した定型化されかつ定型のマーク／絵／図形によるメッセージに通信先が対応してくれた場合に応答するための第２の定型化されかつ定型のマーク／絵／図形によるメッセージを含むことを特徴とする請求項１又は請求項２に記載のプログラム。
【請求項４】
前記表示制御部が、さらに、
前記無線通信部を介して、前記第２アイコンに対応する通信先から定型化されかつ定型のマーク／絵／図形によるメッセージを受信したことに応答して、前記第２表示領域に表示される前記通信先に対応する前記第２アイコンに関連付けて、前記第２表示領域に前記受信した定型化されかつ定型のマーク／絵／図形によるメッセージに対応する第１アイコンを表示するように、前記電子機器を機能させるための請求項１乃至請求項３のいずれか１項に記載のプログラム。
【請求項５】
前記表示制御部が、さらに、
前記第２表示領域に前記第２アイコンに関連付けて前記受信した定型化されかつ定型のマーク／絵／図形によるメッセージに対応する第１アイコンを表示する際に、以前に受信した定型化されかつ定型のマーク／絵／図形によるメッセージに対応する第１アイコンが表示されている場合、前記受信した定型化されかつ定型のマーク／絵／図形によるメッセージに対応する第１アイコンを、前記以前に受信した定型化されかつ定型のマーク／絵／図形によるメッセージに対応する第１アイコンに上書きするように、前記電子機器を機能させるための請求項４に記載のプログラム。
【請求項６】
前記表示制御部が、さらに、
前記電子機器の現在位置を前記表示部に表示し、
前記第１表示領域を、前記電子機器の現在位置を示す表示領域外に表示するように、前記電子機器を機能させるための請求項１乃至請求項５のいずれか１項に記載のプログラム。
【請求項７】
無線通信部と表示部とを備える電子機器が、通信先と定型化されかつ定型のマーク／絵／図形によるメッセージを交換する方法であって、前記方法は、
前記表示部の第１表示領域に複数の定型化されかつ定型のマーク／絵／図形によるメッセージに対応する複数の第１アイコンを表示し、前記表示部の第２表示領域に通信先に対応する第２アイコンを表示する表示制御ステップと、
前記第１表示領域に前記複数の第１アイコンが表示されている状態で、少なくとも１つの第１アイコンが指定されたことに応答して、前記無線通信部を介して、前記第２表示領域に表示された第２アイコンに対応する通信先に前記指定された第１アイコンに対応する定型化されかつ定型のマーク／絵／図形によるメッセージを送信するメッセージ処理ステップと、
を含む方法。
【請求項８】
前記複数の定型化されかつ定型のマーク／絵／図形によるメッセージは、通信先からの定型化されかつ定型のマーク／絵／図形によるメッセージに応答するための第1の定型化されかつ定型のマーク／絵／図形によるメッセージを含む請求項７に記載の方法。
【請求項９】
前記複数の定型化されかつ定型のマーク／絵／図形によるメッセージは、前記電子機器の通信した定型化されかつ定型のマーク／絵／図形によるメッセージに通信先が対応してくれた場合に応答するための第２の定型化されかつ定型のマーク／絵／図形によるメッセージを含む請求項７又は請求項８に記載の方法。
【請求項１０】
前記表示制御ステップが、さらに、
前記無線通信部を介して、前記第２アイコンに対応する通信先から定型化されかつ定型のマーク／絵／図形によるメッセージを受信したことに応答して、前記第２表示領域に表示される前記通信先に対応する前記第２アイコンに関連付けて、前記第２表示領域に前記受信した定型化されかつ定型のマーク／絵／図形によるメッセージに対応する第１アイコンを表示するステップを含む請求項７乃至請求項９のいずれか１項に記載のプログラム。
【請求項１１】
無線通信部と、
表示部と、
前記表示部の第１表示領域に複数の定型化されかつ定型のマーク／絵／図形によるメッセージに対応する複数の第１アイコンを表示し、前記表示部の第２表示領域に通信先に対応する第２アイコンを表示する表示制御部と、
前記第１表示領域に前記複数の第１アイコンが表示されている状態で、少なくとも１つの第１アイコンが指定されたことに応答して、前記無線通信部を介して、前記第２表示領域に表示された第２アイコンに対応する通信先に前記指定された第１アイコンに対応する定型化されかつ定型のマーク／絵／図形によるメッセージを送信するメッセージ処理部と、
を備える電子機器。
【請求項１２】
前記複数の定型化されかつ定型のマーク／絵／図形によるメッセージは、通信先からの定型化されかつ定型のマーク／絵／図形によるメッセージに応答するための第1の定型化されかつ定型のマーク／絵／図形によるメッセージを含む請求項１１に記載の電子機器。
【請求項１３】
前記複数の定型化されかつ定型のマーク／絵／図形によるメッセージは、前記電子機器の通信した定型化されかつ定型のマーク／絵／図形によるメッセージに通信先が対応してくれた場合に応答するための第２の定型化されかつ定型のマーク／絵／図形によるメッセージを含む請求項１１又は請求項１２に記載の電子機器。
【請求項１４】
前記表示制御部は、さらに、
前記無線通信部を介して、前記第２アイコンに対応する通信先から定型化されかつ定型のマーク／絵／図形によるメッセージを受信したことに応答して、前記第２表示領域に表示される前記通信先に対応する前記第２アイコンに関連付けて、前記第２表示領域に前記受信した定型化されかつ定型のマーク／絵／図形によるメッセージに対応する第１アイコンを表示することを特徴とする請求項１１乃至請求項１３に記載の電子機器。
【発明の詳細な説明】
【技術分野】
【０００１】
本発明は、道路上を移動する車両、オートバイ、自転車、及び歩行者等（以下、「車両等」ともいう）の携行する電子機器（以下、「移動機器」ともいう）間における、メッセージの交換を行うプログラム、方法、及び電子機器に関するものである。例えば、移動機器としては、車両搭乗者の有するスマートフォン等の携帯型端末装置、タブレット端末、ＰＤＡ、ノートパソコン、携帯電話、及びその他無線通信機能を備える携帯可能な電子機器もしくは、ＰＮＤ及び車載ナビゲーション装置等を含むナビゲーション装置が挙げられる。
特に、車両等に搭乗しているユーザーが電子機器により、他の移動機器との間で無線通信を介して、簡易な操作でチャット等のメッセージのやり取りを行うことができるメッセージの交換を行うためのプログラム、方法、及び電子機器に関する。
【背景技術】
【０００２】
グループメンバーが複数の車両に分散して、例えば日帰りの遠出の移動中に、異なる車両に搭乗しているメンバーとの間で無線通信を介した会話を楽しみたいとのニーズがある。
例えば、ツーリング等は前もって景観のよきポイントの情報を設定しておき、外の景色を見ながら、その地点でメッセージを送りたいニーズがある。また、例えば、予め決めておいた休憩場所に近づいた時点で確認のためのメッセージ交換を行いたいニーズがある。
このように、文字データによるチャット形式の会話をする際に、使用頻度の高い「トイレ休憩」、「コーヒータイム」、「コンビニ」、「休憩」等に関する提案メッセージとそれに対する「了解」の応答メッセージ等、について簡単に操作できることが望まれる。
【０００３】
特許文献１には、位置情報設置モードに設定した携帯電話機同士を介した、ユーザー（移動中の人）間のチャットに関する発明が開示されている。特許文献１には、位置情報設置モードに設定した携帯電話機に表示された道路地図上において、自機を示すアイコンと位置情報表示モードに設定した他ユーザーを示すアイコンを表示し、特定のユーザーＢに対応するアイコンを選択することで、当該ユーザーＢに対するメッセージ作成画面を表示し、当該メッセージ作成画面を介してメッセージを入力して、送信ボタンを押すことで、当該メッセージを当該ユーザーＢの携帯電話機に送信する携帯電話機に関する発明が開示されている。
【先行技術文献】
【特許文献】
【０００４】
【特許文献１】特開２００７−１６６１８９号公報
【発明の概要】
【発明が解決しようとする課題】
【０００５】
特許文献１に記載の発明は、特定の相手を選択することで、当該相手に対するメッセージ作成画面を表示するものに過ぎず、ユーザーは、メッセージを入力したうえで返信の操作を行う必要がある。
【０００６】
特許文献1に記載された発明は、ユーザーは、メッセージを入力したうえで返信の操作を行う必要がある。このような操作は、即時性が求められる場合に煩わしく感じる。
【０００７】
特許文献1に記載された発明では、グループメンバーが複数の車両に分散して、例えば日帰りの遠出の移動中に、異なる車両に搭乗しているメンバーとの間で無線通信を介した会話、例えば使用頻度の高い「トイレ休憩」、「コーヒータイム」、「コンビニ」、「休憩」等の提案メッセージとそれに対する「了解」等の応答メッセージ等について逐一入力しなければならず、簡単に操作することはできない。
【０００８】
本発明は、このような問題に鑑みてなされたものであり、文字データによるチャット形式の会話をする際に、使用頻度の高い連絡メッセージとそれに対する応答メッセージ等について定型化されかつ定形のマーク／絵／図形化（以下、「定型（かつ定形）」ともいう）して、簡単に操作することができることを可能とする、車両等に搭乗しているユーザが移動機器を用いて、無線通信を介したメッセージの交換を行うプログラム、方法、及び電子機器を提供することを目的とする。以下、定型化されかつ定形のマーク／絵／図形によるメッセージを「定型（かつ定形）文メッセージ」ともいう。
【課題を解決するための手段】
【０００９】
（１）無線通信部（例えば、後述の無線通信部２０）と表示部（例えば、後述の表示部１１）とを備える電子機器（例えば、後述の電子機器２）を、前記表示部の第１表示領域に複数の定型（かつ定形）文メッセージに対応する複数の第１アイコンを表示し、前記表示部の第２表示領域に通信先に対応する第２アイコンを表示する表示制御部（例えば、後述の表示制御部４３）、前記第１表示領域に前記複数の第１アイコンが表示されている状態で、少なくとも１つの第１アイコンが指定されたことに応答して、前記無線通信部を介して、前記第２表示領域に表示された第２アイコンに対応する通信先に前記指定された第１アイコンに対応する定型（かつ定形）文メッセージを送信するメッセージ処理部（例えば、後述のメッセージ処理部４５）、として機能させるためのプログラム。
【００１０】
（１）のプログラムによれば、使用頻度の高いメッセージを定型化し、それを第１アイコンに対応させることで、対応する第１アイコンを選択することのみで、メッセージの作成から発信まで自動処理する。
これにより、自動車等のユーザは、定型（かつ定形）文メッセージの送信操作を短時間で直感的かつ容易に行うことができ、スムーズなコミュニケーションを図ることができる。
【００１１】
（２）前記複数の定型（かつ定形）文メッセージは、通信先からの定型（かつ定形）文メッセージに応答するための第１の定型（かつ定形）文メッセージ（例えば、後述の「了解」）を含むことを特徴とする（１）に記載のプログラム。
【００１２】
（３）前記複数の定型（かつ定形）文メッセージは、前記電子機器（例えば、後述の電子機器２）の通信した定型（かつ定形）文メッセージに通信先が対応してくれた場合に応答するための第２の定型（かつ定形）文メッセージ（例えば、後述の「ありがとう」）を含むことを特徴とする（１）又は（２）に記載のプログラム。
【００１３】
（２）又は（３）のプログラムによれば、自動車等のユーザは、問い合わせや要求に対する応答メッセージ、又は問い合わせや要求に対して対応してくれた場合の応答メッセージの送信操作を短時間で直感的かつ容易に行うことができ、スムーズなコミュニケーションを図ることができる。
【００１４】
（４）前記表示制御部（例えば、後述の表示制御部４３）が、さらに、前記無線通信部（例えば、後述の無線通信部２０）を介して、前記第２アイコンに対応する通信先から定型（かつ定形）文メッセージを受信したことに応答して、前記第２表示領域に表示される前記通信先に対応する前記第２アイコンに関連付けて、前記表示部（例えば、後述の表示部１１）（例えば、後述の電子機器２）の第２表示領域に前記受信した定型（かつ定形）文メッセージに対応する第１アイコンを表示するように、前記電子機器（例えば、後述の電子機器２）を機能させるための（１）乃至（３）のいずれかに記載のプログラム。
【００１５】
（５）前記表示制御部（例えば、後述の表示制御部４３）が、さらに、前記第２表示領域に前記第２アイコンに関連付けて前記受信した定型（かつ定形）文メッセージに対応する第１アイコンを表示する際に、以前に受信した定型（かつ定形）文メッセージに対応する第１アイコンが表示されている場合、前記受信した定型（かつ定形）文メッセージに対応する第１アイコンを、前記以前に受信した定型（かつ定形）文メッセージに対応する第１アイコンに上書きするように、前記電子機器（例えば、後述の電子機器２）を機能させるための（４）に記載のプログラム。
【００１６】
（４）及び（５）のプログラムによれば、メッセージ送信者に対応する第２アイコン毎に、最新のメッセージ情報に対応する第１アイコンを関連付けて表示する。
これにより、現在通信可能となっている通信先から受信したメッセージを、直感的かつ容易に確認することができる。
【００１７】
（６）前記表示制御部（例えば、後述の表示制御部４３）が、さらに、前記電子機器（例えば、後述の電子機器２）の現在位置を前記表示部に表示し、前記第１表示領域を、前記電子機器の現在位置を示す表示領域外に表示するように、前記電子機器を機能させるための（１）乃至（５）のいずれかに記載のプログラム。
【００１８】
（６）のプログラムによれば、電子機器の現在位置の表示と、メッセージの送信とを両立させることができる。
【００１９】
（７）無線通信部（例えば、後述の無線通信部２０）と表示部（例えば、後述の表示部１１）とを備える電子機器（例えば、後述の電子機器２）が、通信先と定型（かつ定形）文メッセージを交換する方法であって、前記方法は、前記表示部の第１表示領域に複数の定型（かつ定形）文メッセージに対応する複数の第１アイコンを表示し、前記表示部の第２表示領域に通信先に対応する第２アイコンを表示する表示制御ステップ（例えば、後述の表示制御ステップ）と、前記第１表示領域に前記複数の第１アイコンが表示されている状態で、少なくとも１つの第１アイコンが指定されたことに応答して、前記無線通信部を介して、前記第２表示領域に表示された第２アイコンに対応する通信先に前記指定された第１アイコンに対応する定型（かつ定形）文メッセージを送信するメッセージ処理ステップ（例えば、後述のメッセージ処理ステップ）と、を含む方法。
【００２０】
（８）前記複数の定型（かつ定形）文メッセージは、通信先からの定型（かつ定形）文メッセージに応答するための第1の定型（かつ定形）文メッセージ（例えば、後述の「了解」）を含む（７）に記載の方法。
【００２１】
（９）前記複数の定型（かつ定形）文メッセージは、前記電子機器（例えば、後述の電子機器２）の通信した定型（かつ定形）文メッセージに通信先が対応してくれた場合に応答するための第２の定型（かつ定形）文メッセージ（例えば、後述の「ありがとう」）を含む（７）又は（８）に記載の方法。
【００２２】
（１０）前記表示制御ステップ（例えば、後述の表示制御ステップ）が、さらに、前記無線通信部（例えば、後述の無線通信部２０）を介して、前記第２アイコンに対応する通信先から定型（かつ定形）文メッセージを受信したことに応答して、前記第２表示領域に表示される前記通信先に対応する前記第２アイコンに関連付けて、前記第２表示領域に前記受信した定型（かつ定形）文メッセージに対応する第１アイコンを表示するステップを含む（７）乃至（９）のいずれかに記載の方法。
【００２３】
（７）〜（１０）の方法によれば、（１）〜（４）のプログラムと同様の効果を奏する。
【００２４】
（１１）無線通信部（例えば、後述の無線通信部２０）と、表示部（例えば、後述の表示部１１）と、前記表示部の第１表示領域に複数の定型（かつ定形）文メッセージに対応する複数の第１アイコンを表示し、前記表示部の第２表示領域に通信先に対応する第２アイコンを表示する表示制御部（例えば、後述の表示制御部４３）と、前記第１表示領域に前記複数の第１アイコンが表示されている状態で、少なくとも１つの第１アイコンが指定されたことに応答して、前記無線通信部を介して、前記第２表示領域に表示された第２アイコンに対応する通信先に前記指定された第１アイコンに対応する定型（かつ定形）文メッセージを送信するメッセージ処理部（例えば、後述のメッセージ処理部４５）と、を備える電子機器（例えば、後述の電子機器２）。
【００２５】
（１２）前記複数の定型（かつ定形）文メッセージは、通信先からの定型（かつ定形）文メッセージに応答するための第1の定型（かつ定形）文メッセージ（例えば、後述の「了解」）を含む（１１）に記載の電子機器（例えば、後述の電子機器２）。
【００２６】
（１３）前記複数の定型（かつ定形）文メッセージは、前記電子機器（例えば、後述の電子機器２）の通信した定型（かつ定形）文メッセージに通信先が対応してくれた場合に応答するための第２の定型（かつ定形）文メッセージ（例えば、後述の「ありがとう」）を含む（１１）又は（１２）に記載の電子機器。
【００２７】
（１４）前記表示制御部（例えば、後述の表示制御部４３）は、さらに、前記無線通信部（例えば、後述の無線通信部２０）を介して、前記第２アイコンに対応する通信先から定型（かつ定形）文メッセージを受信したことに応答して、前記第２表示領域に表示される前記通信先に対応する前記第２アイコンに関連付けて、前記第２表示領域に前記受信した定型（かつ定形）文メッセージに対応する第１アイコンを表示することを特徴とする（１１）乃至（１３）に記載の電子機器（例えば、後述の電子機器２）。
【００２８】
（１１）〜（１４）の電子機器によれば、（１）〜（４）のプログラムと同様の効果を奏する。
【発明の効果】
【００２９】
本発明によれば、移動機器間における、文字データ等によるチャット形式の会話をする際に、ユーザは、定型（かつ定形）文メッセージの送信操作を短時間で直感的かつ容易に行うことができる。また、現在通信可能となっている通信先から受信したメッセージを、直感的かつ容易に確認することができる。また、受信メッセージの応答について、応答定型（かつ定形）文メッセージの送信操作を短時間で直感的かつ容易に行うことができるとともに、応答定型（かつ定形）文メッセージの受信者は、応答を直感的かつ容易に確認することができる。
【図面の簡単な説明】
【００３０】
【図１】第１実施形態の電子機器２の機能構成を示すブロック図である。
【図２】第１実施形態の記憶部３２の記憶するデータ構成を示すブロック図である。
【図３Ａ】第１実施形態の自機（Ｋ）における電子機器の表示部（以下「自機（Ｋ）の表示部」という）の第１表示領域に第１アイコン、第２表示領域に第２アイコンを表示した例を示す図である。
【図３Ｂ】自機（Ｋ）が「コンビニ」を提案した場合の、自機（Ｋ）の表示部における表示例を示す図である。
【図３Ｃ】他機（Ｌ）から「了解メッセージ」を受信したときの自機（Ｋ）の表示部における表示例を示す図である。
【図３Ｄ】他機（Ｍ）から「了解メッセージ」を受信したときの自機（Ｋ）の表示部における表示例を示す図である。
【図３Ｅ】自機（Ｋ）が「ありがとう」メッセージｗｏ送信した場合の、自機（Ｋ）の表示部における表示例を示す図である。
【図４Ａ】第１実施形態の自機（Ｌ）における電子機器の表示部（以下「自機Ｌの表示部」という）の第１表示領域に第１アイコン、第２表示領域に第２アイコンを表示した例を示す図である。
【図４Ｂ】他機（Ｋ）から「コンビニ」提案メッセージを受信した場合の、自機（Ｌ）の表示部における表示例を示す図である。
【図４Ｃ】他機（Ｋ）に「了解メッセージ」を送信したときの自機（Ｌ）の表示部における表示例を示す図である。
【図４Ｄ】他機（Ｍ）から「了解メッセージ」を受信したときの自機（Ｌ）の表示部における表示例を示す図である。
【図４Ｅ】他機（Ｋ）から「ありがとう」メッセージを受信したときの自機（Ｌ）の表示部における表示例を示す図である。
【図５】第１アイコンの一覧の別の表示例を示す図である。
【図６】第１アイコンの一覧の切り換えを行うための切り換えボタンの表示例を示す図である。
【図７】歩行者や電動カート利用者等が道路横断したい場合の第１アイコンの表示例を示す図である。
【図８】交通障害情報を車車間で送受信して共有する動作例を示す図である。
【発明を実施するための形態】
【００３１】
［第１実施形態］
以下、本発明の電子機器の好ましい一実施形態について、図面を参照しながら説明する。最初に、図１を参照して、第１実施形態に係る電子機器について説明する。
【００３２】
［第１実施形態に係る電子機器の機能構成］
第１実施形態に係る車両等は、道路上を移動する自車両１、及び他の車両、オートバイ、自転車、及び歩行者等を意味する。
なお、道路沿いの路側通信設備、道路沿いの施設、及び道路沿いの店舗等を含める場合は、便宜上「車両及び施設等」という。なお、車両及び施設等の備える（又は、有する、又は内部にある）電子機器（以下「移動機器等」ともいう）には、当該電子機器を一意的に識別するための識別ＩＤが付与されており、識別ＩＤにより、電子機器が、車両、オートバイ、自転車、歩行者の車両等の備えるものであるか、又は道路沿いの路側通信設備、道路沿いの施設又は道路沿いの店舗等の備えるものであるかを識別できる。
【００３３】
第１実施形態に係る電子機器２は、車載ナビゲーション装置、ＰＮＤ（Ｐｅｒｓｏｎａｌ  Ｎａｖｉｇａｔｉｏｎ  Ｄｅｖｉｃｅ）等を含むナビゲーション装置、スマートフォン等の携帯型端末装置、タブレット端末、ＰＤＡ、ノートパソコン、携帯電話、その他無線通信機能を備える携帯可能な電子機器を含む。
なお、第１実施形態に係る定型（かつ定形）文メッセージ送受信のためのソフトウェアは、予めインストールされていてもよい。また、所定のサーバ又はクラウド等から適宜ダウンロードしてもよい。
【００３４】
図１を参照して、本発明の第１実施形態に係る電子機器２の機能構成について説明する。図１は、第１実施形態に係る車両等の備える電子機器２の機能構成を示す機能ブロック図である。
第１実施形態に係る車両等の携行する電子機器２（以下、特に断らない限り、「移動機器」又は単に「自機」ともいう）は、制御部４０と、無線通信部２０と、ＧＰＳ受信機と、ＧＰＳ処理部３１と、記憶部３２と、表示部１１と、スピーカ１２と、マイク１３と、操作部１４と、カメラ１５とを含んで構成され、車両等の移動手段に持ち込まれる。
【００３５】
＜メッセージ交換＞
自機と他の車両等の携行する電子機器（以下、特に断らない限り、「他の移動機器」」又は単に「他機」ともいう）との間で交換される定型（かつ定形）文メッセージとしては、例えば、任意のグループメンバーが、複数台でのツーリングドライブをしているときに、仲間の車とリアルタイムにやりとりする、「トイレ休憩」、「コーヒータイム」、「コンビニ」、「休憩」等の提案メッセージとそれに対する「了解」等の応答メッセージ、また、相手の対応に対して感謝の意を伝える「ありがとう」等の応答メッセージ、及び仲間内の目的地の変更等の提案メッセージとそれに対する応答メッセージ等がある。
また、例えば、対向車等から「こんにちは」等のあいさつ、見えない先の交通障害に関する定型（かつ定形）文メッセージがある。
また、例えば交差点等において、歩行者存在通知、道路横断する旨の通知等の定型（かつ定形）文メッセージ（例えば、「渡ります」等の定型（かつ定形）文メッセージ）がある。
なお、例えば、道路沿いの店舗からのクーポン情報、割引情報、及び大売出し情報等、道路沿いの公共施設からの地域の催事情報及び観光情報等、道路沿いの施設から気象情報、交通情報等の定型（かつ定形）文メッセージについても移動機器は受信することができる。
【００３６】
なお、自機と他機との間で交換されるメッセージとして、定型（かつ定形）文メッセージの外、例えば、カメラ画像、テキストメッセージ、ボイスメール等の非定型（かつ定形）文メッセージを含むことができる。
【００３７】
また、自機と他機との間で交換されるメッセージは、自機及び他の移動機器を一意的に識別するための識別ＩＤ、ＧＰＳ情報、時刻情報、発信者に関する属性、情報種別、情報の緊急度、及び情報の重要度を含むことができる。ここで、発信者に関する属性は、発信者が車両の場合、車種情報を含むことができる。
なお、第１実施形態における車両等は自車両１としたが、歩行者の場合には、発信者に関する属性、すなわち歩行者が子供か、老齢者か、それ以外か、といった属性情報を含むことができる。なお、道路沿いの施設、又は道路沿いの店舗等の場合には、発信者に関する属性、すなわち道路沿いの施設又は道路沿いの店舗等の業種情報を含むことができる。
以下、特に断らなければ、前記情報を総称して「コミュニケーション情報」という。
【００３８】
無線通信部２０は、他の移動機器との送受信の場合には、例えば１対Ｎ通信及び１対１通信の可能なＷｉＦｉダイレクト通信を、サーバとの送受信の場合には、例えばＷｉＦｉアクセスポイント接続又は３Ｇ／ＬＴＥ（３ｒｄ Ｇｅｎｅｒａｔｉｏｎ  ／  Ｌｏｎｇ  Ｔｅｒｍ  Ｅｖｏｌｕｔｉｏｎ）等の通信をすることができるように、複数の通信プロトコルを実装することができる。
【００３９】
ＷｉＦｉダイレクト通信により、自機は、例えば、１００ｍ程度離れた通信可能なエリア内にある周辺の他の移動機器と直接無線通信をすることができる。また、通信可能なエリア内の移動機器をアクセスポイントとして、当該移動機器の通信可能なエリア内にある他の移動機器と無線通信をすることができる。このようにすることで、例えば、自機は、通信可能なエリアを拡げることが可能となる。
【００４０】
また、ＷｉＦｉアクセスポイント接続又は３Ｇ／ＬＴＥ等により、自機は、例えばＶＩＣＳ（登録商標）センタやナビゲーションサーバ等のサーバと無線通信を行うことが可能に構成されている。無線通信部２０は、このようなサーバから、例えば地図情報や渋滞情報等のデータを受信することができる。
【００４１】
なお、無線通信部２０の具備する通信プロトコルは、ＷｉＦｉダイレクト通信、ＷｉＦｉアクセスポイント接続、又は３Ｇ／ＬＴＥに限定されるものではない。無線通信部２０は、他の移動機器と直接送受信するための１対１通信及び１対Ｎ通信の可能な通信プロトコル、及びサーバ等との送受信するための通信プロトコルを具備すればよい。
【００４２】
無線通信部２０は、他の移動機器からコミュニケーション情報を受信する情報受信部２１と、自機からコミュニケーション情報を他の移動機器に対して送信する情報送信部２２とを有する。
【００４３】
ＧＰＳ処理部３１は、ＧＰＳ受信機（図示せず）を介して複数のＧＰＳ衛星から現在地点の緯度経度を含む測位用データを含む電波を受信し、測位用データと現在走行中の道路の地図情報とに基づいて、自機の現在位置を算出する。
【００４４】
表示部１１は、例えば液晶ディスプレイ等により構成され、後述する表示制御部４３により、ユーザーに対して、コミュニケーション情報を表す各種アイコン等を表示することができる。
次に、表示部１１に各種アイコンがどのように表示されるか説明する。なお、以下に説明する表示部１１への表示は、後述する表示制御部４３により制御される。
【００４５】
＜第１アイコン＞
定型（かつ定形）文メッセージ、例えば「トイレ休憩」、「コーヒータイム」、「コンビニ」、「休憩」等の提案メッセージ、提案メッセージに対する「了解」等の応答メッセージのような仲間内の連絡情報、相手の対応に対して感謝の意を伝える「ありがとう」等の感謝の意を伝えるメッセージ、「こんにちは」のような挨拶、「この先渋滞」のような「交通障害情報」等複数の定型（かつ定形）文メッセージを、メッセージシンボルとして表現するアイコン（以下、「第１アイコン」ともいう）に対応づけることで、定型（かつ定形）文メッセージの処理を簡易化することができる。
また、道路横断する旨の通知等の定型（かつ定形）文メッセージとして、「渡ります」等の希望・要求メッセージ、「渡ります」等の決断・行動を伝える連絡メッセージ、及び相手の対応に対して感謝の意を伝える「ありがとう」等の応答・お礼を伝えるメッセージ等を第１アイコンに対応づけることで、定型（かつ定形）文メッセージの処理を簡易化することができる。
また、道路に面した店舗の発信する定型（かつ定形）文メッセージとして「バーゲン中」等のメッセージを第１アイコンに対応づけることもできる。
このように、メッセージシンボルは、画面に表示されたときに見やすい適宜の大きさである。また、地図が画面上に表示されている場合は、画面での占有面積が大きすぎない適宜の大きさである。
【００４６】
＜第１アイコンの効果＞
そうすることで、例えば、次のような効果を奏することができる。
（１）文字メッセージをそのまま表示すると、読む分、直感的把握ではなくなるのに対し、図形もしくは図形的なので、直感的に理解できる。
（２）文字メッセージをそのまま表示する場合、被覆面積が画面中央側に張り出してくるが、アイコン表現のメッセージの場合、一定の大きさに設定できるので、その分張り出しを抑制できる。
（３）メッセージアイコンを送受信者共通の雛型として用意しておき、それを各機に記憶保存しておき、通信データには画像データそのものではなく識別情報を使用し、それを基に受信側で記憶しているデータを呼出して表示することで、送受信データをその分軽くすることができ、通信、とりわけ近距離無線の直接通信において都合が良い。
【００４７】
図３Ａに示すように、例えば、表示部１１上の例えば下側に設けた所定の表示領域（以下「第１表示領域」ともいう）に、選択可能な定型（かつ定形）文メッセージに対応する第１アイコンの一覧が表示される。後述するように、ユーザーは、定型（かつ定形）文メッセージを他の移動機器に送信する場合、第１表示領域に表示された第１アイコンの一覧から、送信しようとする定型（かつ定形）文メッセージに対応する第１アイコンを選択することで、後述するメッセージ処理部４５により当該定型（かつ定形）文メッセージを簡単に送信することができる。
【００４８】
選択可能な第１アイコンの一覧は、表示部１１の画面の大きさに限定されるものではない。
例えば、図６に示すように、左端のメニューボタンが切り換えボタンとなっており、メニューボタンを押下することで、複数の、メニュー間の切り換えを行うようにすることができる。
なお、第１表示領域は、表示部１１上の下側に限定されない、変形例として、表示部１１上の例えば上側等、所定の位置に設定することができる。
【００４９】
特に、歩行者や電動カート利用者等の備える電子機器２の表示部１１の第１表示領域の表示として、図７に示すように、道路横断する旨の通知等の定型（かつ定形）文メッセージ（例えば横断する希望・要求を周辺の自動車等にアピールするメッセージを表す第１アイコン（「渡ります」）、道路を横断する決断・行動を周辺の自動車等に伝えるメッセージを表す第１アイコン（「渡ります」）、及び道路横断を終えて周辺の自動車等が停止してくれたことに対して感謝の気持ちを伝える応答・お礼のメッセージを表す第１アイコン（「ありがとう」）からなる第１アイコンの一覧を表示することができる。
このように、ユーザの利用局面に応じて、第１アイコンの一覧表示を適宜設定することで、ユーザの使い勝手を向上させることができる。
【００５０】
＜第２アイコン＞
図３Ａに示すように、移動機器は、キャラクターとして表現されるアイコン（以下、「第２アイコン」という）によって識別され、表示部１１に表示される。表示部１１上の例えば左上側に設けた所定の表示領域（以下「第２表示領域」という）に、現在通信可能な他の移動機器に対応する第２アイコンが表示される。
なお、第２表示領域に表示される第２アイコンとして、自機に対応する第２アイコンを含むようにしてもよい。その場合、自機に対応する第２アイコンと他の移動機器に対応する第２アイコンとを区別するために、図３Ａに示すように、例えば、自機に対応する第２アイコン（Ｋ）を表示する領域を他の移動機器に対応する第２アイコン（Ｌ）、第２アイコン（Ｍ）等を表示する領域の上になるように両者を分けることができる。
なお、第２表示領域は、表示部１１上の例えば左上側に限定されない、変形例として、表示部１１上の例えば右上側等、所定の位置に設定することができる。
【００５１】
第２表示領域に表示される他の移動機器に対応する第２アイコンの表示順序は、予め設定された優先順位(例えば、ツーリング仲間を最優先にする等)にしたがって、表示することができる。優先順位が同じ場合には、例えば５０音順(アルファベット順）にしたがって表示することができる。また、接続した時刻にしたがって、例えば、接続した時刻の時系列の新しい順又は古い順にしたがって、表示することができる。このような表示順序の設定については、後述する情報設定部４４により設定することができる。
【００５２】
図３Ａに示すように、表示部１１に表示される現在走行中の道路地図上にも、自機に対応する第２アイコン（Ｋ）とともに、現在通信可能な他の移動機器に対応する第２アイコン（Ｌ）、第２アイコン（Ｍ）等が表示される。自機に対応する第２アイコン（Ｋ）は、ＧＰＳ処理部３１により算出した自機の現在位置に基づいて、現在走行中の道路地図上に表示される。また、他の移動機器に対応する第２アイコン（Ｌ）、第２アイコン（Ｍ）等は、無線通信部２０の情報受信部２１を介して受信した他の移動機器の緯度経度を含むＧＰＳ情報に基づいて算出した他の移動機器の現在位置に基づいて、現在走行中の道路地図上に表示される。
【００５３】
後述するように、自機と第２アイコンとの対応づけ、第２表示領域における第２アイコンの表示順序等については、予め情報設定部４４により設定することができる。
【００５４】
図３Ｃに示すように、通信可能な他の移動機器（Ｌ）から受信したメッセージに対応する第１アイコンは、第２表示領域に表示された、他の移動機器に対応する第２アイコン（Ｌ）のそれぞれに関連付けて、例えば当該第２アイコンの隣に表示される。
【００５５】
＜自車両の表示＞
情報設定部４４により、第２表示領域に自機に対応する第２アイコンが表示されるように設定されている場合、例えば、図３Ｂに示すように自機の送信した最新のメッセージに対応する第１アイコン(「コンビニ」)を、第２表示領域に表示された自機に対応する第２アイコン（Ｋ）に関連付けて、例えば当該第２アイコン（Ｋ）の隣に表示することができる。
【００５６】
＜現在走行中の道路地図上への表示＞
また、図３Ｃに示すように、表示部１１に表示される現在走行中の道路地図上に、他の移動機器（Ｌ）から受信したメッセージに対応する第１アイコン（例えば「了解」）が他の移動機器（Ｌ）に対応する第２アイコン（Ｌ）に関連付けて、例えば当該第２アイコン（Ｌ）の上に表示される。
そうすることで、他の移動機器から受信した定型（かつ定形）文メッセージを道路地図上に表示された第２アイコンと第１アイコンの関連付けによる表示で、直感的に容易に把握することができる。
【００５７】
なお、図３Ａ〜図３Ｅ及び図４Ａ〜図４Ｅにおけるナビゲーションの画面例はノースアップの表示形態例で、自車両の進行方向をヘディングアップした表示形態例ではないが、自車両の進行方向をヘッディングアップした表示形態においても、第１アイコンの表示は、ナビゲーション画面のルート案内表示を損なわないように表示することができる。
【００５８】
＜自車両の表示＞
また、図示しないが、表示部１１に表示される現在走行中の道路地図上に、自機の送信した最新のメッセージに対応する第１アイコン（例えば「コンビニ」）を、道路地図上に表示された自機に対応する第２アイコンに関連付けて、例えば当該第２アイコンの上に表示することができる。
自車両１の送信した最新のメッセージに対応する第１アイコンを、表示部１１に表示される現在走行中の道路地図上に表示された、自機に対応する第２アイコンに関連付けて表示するかどうかについては、情報設定部４４により設定することができる。
【００５９】
表示部１１の表面には、タッチパネルが積層されており、ユーザーの操作を受け付けることができる。本実施形態においてタッチパネルが受け付ける操作には、表示部１１の任意の位置を選択する選択操作（いわゆるタップ）や表示部１１の任意の位置を選択した後に指を移動させるスライド操作（いわゆるスワイプ、フリック）が含まれる。また、タッチパネルは、複数の接触点を同時に感知可能なマルチタッチパネルにより構成される。タッチパネルを介して受け付けた操作は、制御部４０に送信され処理される。
【００６０】
スピーカ１２は、ユーザーに対して音声出力を行い、マイク１３は、ユーザーによって発せられた音声等を集音する。
【００６１】
操作部１４は、操作ボタンやタッチパネル式入力装置等により構成することができ、ユーザーによる各種の選択、指示が入力される。なお、表示部１１の表示画面上に設けられたタッチパネルも操作部１４として機能する。
また、音声認識技術により、マイク１３を介して音声入力されたユーザーによる各種の選択、指示を入力することもできる。
【００６２】
＜記憶部３２＞
記憶部３２は、ＲＯＭやＲＡＭ等を備えて構成され、電子機器２を制御するための制御プログラム等が格納されるとともに、操作部１４を介してユーザーにより設定されたデータを読み出し可能に格納し、制御部４０に対してワークエリアを提供する。
【００６３】
また、記憶部３２には、コミュニケーション情報として送信する例えば、「トイレ休憩」、「コーヒータイム」、「コンビニ」、「休憩」等の提案、及び提案に対する「了解」等の応答のような仲間内の連絡情報、相手の対応に対して応答・お礼を伝える「ありがとう」等の応答メッセージ、仲間内の目的地の変更等の提案メッセージとそれに対する応答メッセージ、対向車等から「こんにちは」等のあいさつ、「この先渋滞」のような見えない先の交通障害に関する定型（かつ定形）文メッセージ、及び交差点等において、歩行者存在通知、道路横断する旨の通知等の定型（かつ定形）文メッセージ（例えば、「渡りたい」「渡ります」等の定型（かつ定形）文メッセージ）等複数の定型（かつ定形）文メッセージを予め記憶させておく。
詳細について、以下に説明する。
【００６４】
記憶部３２は、第２アイコンリスト３４１と、定型（かつ定形）文メッセージリスト３４２と、接続テーブル３４３と、送信情報履歴部３４４と、受信情報履歴部３４５とを記憶する。
【００６５】
第２アイコンリスト３４１は、第２アイコンの識別情報（以下、「第２アイコンの識別ＩＤ」ともいう）、当該識別ＩＤに対応する第２アイコン等から構成される複数のレコードを記憶する。
なお、第２アイコンリスト３４１は、予めインストールされていてもよい。また、所定のサーバ又はクラウド等から適宜ダウンロードしてもよい。
【００６６】
定型（かつ定形）文メッセージリスト３４２は、定型（かつ定形）文メッセージの識別ＩＤ、定型（かつ定形）文メッセージ、当該定型（かつ定形）文メッセージに対応付けられた第１アイコンの識別ＩＤ、及び第１アイコン等からなる複数のレコードを記憶する。
定型（かつ定形）文メッセージリスト３４２は、予めインストールされていてもよい。また、所定のサーバ又はクラウド等から適宜ダウンロードしてもよい。そうすることで、定型（かつ定形）文メッセージ及び定型（かつ定形）文メッセージに対応する第１アイコンは、すべての電子機器２に共通に記憶される。
【００６７】
接続テーブル３４３は、後述する接続処理部４２が生成更新する、自車両１及び自車両１と通信可能な他の移動機器の通信アドレス情報（例えば、ＩＰアドレス、ＭＡＣアドレス等）、当該移動機器に対応する第２アイコンの識別ＩＤ、第２アイコンの識別ＩＤに対応する第２アイコンのデータ、時間情報、及び位置情報等から構成される複数のレコードを記憶する。
なお、後述するように、情報設定部４４がユーザーの指示により、第２アイコンの識別ＩＤに対応する第２アイコンのデータをカスタマイズした場合にのみ、当該第２アイコンのデータを接続テーブル３４３に記憶するようにしてもよい。
【００６８】
送信情報履歴部３４４は、自車両１の送信したコミュニケーション情報の履歴を記憶する。
受信情報履歴部３４５は、他の移動機器等から受信したコミュニケーション情報の履歴を記憶する。
そうすることで、ユーザーは、受信済みのコミュニケーション情報を受信した日時順、送信元順等により照会できる。また、ユーザーは、コミュニケーション情報に含まれるデータをテキスト検索することができる。
送信済みのコミュニケーション情報についても、同様に、送信した日時順、送信先順等による照会、及びコミュニケーション情報に含まれるデータのテキスト検索が可能である。
そうすることで、仲間内同士のコミュニケーション情報のやり取りの検索照会、及びクーポンや割引情報を提供している店舗からのコミュニケーション情報の検索照会が可能となる。
【００６９】
なお、現在走行中の道路地図を表示部１１に表示するために、記憶部３２内に地図情報データベースを設けて、２次元地図情報、３次元地図情報、道路形状データ、施設データ、店舗データ等の経路案内処理に用いられる地図情報を格納してもよい。また、経路案内処理に用いられる地図情報をナビゲーションサーバから受信する場合は、ナビゲーションサーバから受信した経路案内処理に用いられる地図情報を記憶部３２に記憶させることとしてもよい。
【００７０】
＜制御部＞
制御部４０は、ＣＰＵ（Ｃｅｎｔｒａｌ Ｐｒｏｃｅｓｓｉｎｇ Ｕｎｉｔ）等を備えており、電子機器２の全体の制御を行う。制御部４０は、現在位置算出部４１と、接続処理部４２と、表示制御部４３と、情報設定部４４と、メッセージ処理部４５と、を備える。
【００７１】
＜現在位置算出部＞
現在位置算出部４１は、情報受信部２１を介して他の移動機器から接続要求、接続確認応答、又はコミュニケーション情報等を受信した場合、接続要求、接続確認応答、又はコミュニケーション情報等に含まれるＧＰＳ情報と、現在走行中の道路の地図情報とに基づいて、他の移動機器の現在位置を算出する。
【００７２】
＜接続処理部＞
接続処理部４２は、自機と通信可能な他の移動機器等の通信アドレス情報（例えば、ＩＰアドレス、ＭＡＣアドレス等）、当該移動機器等に対応する第２アイコンの識別ＩＤ、当該識別ＩＤに対応する第２アイコン、時間情報、及び位置情報等を接続テーブル３４３に記憶する。
【００７３】
より具体的には、接続処理部４２は、ユーザーの指示により、自機を識別するための通信アドレス情報（例えば、ＩＰアドレス、ＭＡＣアドレス等）、自機に対応する第２アイコンの識別ＩＤ、時間情報、及び位置情報等を含む接続要求を情報送信部２２を介して送信する。そして、当該接続要求に応答した他の移動機器等からの接続確認に基づいて、他の移動機器等の通信アドレス情報、当該移動機器等に対応する第２アイコンの識別ＩＤ、時間情報、及び位置情報等を含むレコードを接続テーブル３４３に作成する。
第２アイコンが、記憶部３２に記憶された第２アイコンリストから選択されている場合は、第２アイコンリストから当該第２アイコンのデータを取得して、接続テーブル３４３に記憶することができる。
【００７４】
接続処理部４２は、他の移動機器等からの接続要求を受信すると、他の移動機器等の通信アドレス情報、当該移動機器に対応する第２アイコンの識別ＩＤ、第２アイコンのデータ、時間情報、及び位置情報等を含むレコードを接続テーブル３４３に記憶する。
そして、接続処理部４２は、接続要求を受信した他の移動機器等に対して、自機のアドレス情報、自機に対応する第２アイコンの識別ＩＤ、時間情報、及び位置情報等を含む、接続確認応答等を情報送信部２２を介して送信する。
【００７５】
接続処理部４２は、他の移動機器等との接続確認等に基づいて、適宜、接続テーブル３４３に作成された、他の移動機器等との接続情報を更新する。そうすることで、現在通信可能な他の移動機器等に関する接続情報（通信アドレス情報、当該移動機器に対応する第２アイコンの識別ＩＤ、第２アイコンのデータ、時間情報、及び位置情報等）を最新の状態に保つことができる。
【００７６】
＜表示制御部＞
表示制御部４３は、接続処理部４２により作成された接続テーブル３４３に記憶された他の移動機器等との接続情報に基づいて、例えば、図３Ａに示すように、表示部１１上の第２表示領域に現在通信可能な他の移動機器に対応する第２アイコンを表示する。
その際、例えば、図３Ａに示すように、表示制御部４３は、自機に対応する第２アイコンを第２表示領域に表示するようにしてもよい。その場合、自機に対応する第２アイコンと他の移動機器等に対応する第２アイコンとを区別するために、例えば、自機に対応する第２アイコン（Ｋ）を表示する領域を他の移動機器等に対応する第２アイコン（Ｌ）、第２アイコン（Ｍ）等を表示する領域の上部に位置するように両者を分けることができる。
【００７７】
表示制御部４３は、第２表示領域に表示される他の移動機器等に対応する第２アイコンを、情報設定部４４により予め設定された優先順位(例えば、ツーリング仲間を最優先にする等)にしたがって、表示することができる。優先順位が同じ場合には、例えば５０音順(アルファベット順）にしたがって表示することができる。また、情報設定部４４により予め設定された、接続した時刻にしたがって、例えば、接続した時刻の時系列の新しい順又は古い順にしたがって、表示することができる。
【００７８】
表示制御部４３は、例えば、図３Ａに示すように、表示部１１に表示される現在走行中の道路地図上に、自機に対応する第２アイコン（Ｋ）とともに、現在通信可能な他の移動機器に対応する第２アイコン（Ｌ）、第２アイコン（Ｍ）等を表示する。自機に対応する第２アイコン（Ｋ）は、ＧＰＳ処理部３１により算出した自車両１の現在位置に基づいて、現在走行中の道路地図上に表示する。また、他の移動機器に対応する第２アイコン（Ｌ）、第２アイコン（Ｍ）等は、無線通信部２０の情報受信部２１を介して受信した他の移動機器の緯度経度を含むＧＰＳ情報に基づいて、現在位置算出部４１により算出した他の移動機器の現在位置に基づいて、現在走行中の道路地図上に表示する。
【００７９】
表示制御部４３は、例えば、図３Ａに示すように、表示部１１上の例えば下側に設けた第１表示領域に、選択可能な定型（かつ定形）文メッセージに対応する第１アイコンの一覧を表示する。
なお、前述したように、選択可能な第１アイコンの一覧は、表示部１１の画面の大きさに限定されるものではない。
例えば、図６に示すように、左端のメニューボタンが切り換えボタンとなっており、メニューボタンを押下することで、複数の、メニュー間の切り換えを行うようにすることができる。
【００８０】
表示制御部４３は、例えば図３Ｃに示すように、通信可能な他の移動機器（Ｌ）から情報受信部２１を介して受信したメッセージに対応する第１アイコン（「了解」）を、第２表示領域に表示された、他の移動機器に対応する第２アイコン（Ｌ）のそれぞれに関連付けて、第２表示領域に表示する。
【００８１】
より具体的には、例えば、次のように処理される。
接続処理部４２は、通信可能な他の移動機器（Ｌ）から情報受信部２１を介して受信した自機宛ての通信レコードから、送信元の移動機器（Ｌ）に対応する第２アイコンの識別ＩＤ、送信元から送信された定型（かつ定形）文メッセージに対応する第１アイコンの識別ＩＤ、時間情報、及び送信元の移動機器のＧＰＳ情報等を抽出する。
【００８２】
接続処理部４２は、送信元の移動機器のＧＰＳ情報と、現在走行中の道路の地図情報とに基づいて、現在位置算出部４１により、送信元の移動機器の現在位置を算出させる。
接続処理部４２は、送信元の移動機器に関する接続情報を接続テーブル３４３に追加更新する。
接続処理部４２は、通信可能な他の移動機器（Ｌ）から情報受信部２１を介して受信した自機宛ての通信レコードに基づいて、受信情報履歴部３４２に受信情報を記憶する。
【００８３】
表示制御部４３は、接続処理部４２により抽出したデータ、定型（かつ定形）文メッセージリスト３４２等に基づいて、表示部１１上に例えば図３Ｃに示すように、他の移動機器（Ｌ）から受信したメッセージに対応する第１アイコン（「了解」）は、第２表示領域に表示された、第２アイコン（Ｌ）に関連付けてｚｚ表示するとともに、現在走行中の道路地図上に表示された他の移動機器（Ｌ）に対応する第２アイコン（Ｌ）に関連付けて、受信したメッセージに対応する第１アイコン（「了解」）を表示する。
【００８４】
＜上書き表示＞
表示制御部４３は、第２表示領域に第２アイコン（例えばＬ）に関連付けて受信したメッセージに対応する第１アイコンを表示する際に、以前に受信したメッセージに対応する第１アイコンが表示されている場合、受信したメッセージに対応する第１アイコンを、以前に受信したメッセージに対応する第１アイコンに上書きすることができる。
【００８５】
また、第１アイコンの表示において、表示制御部４３は、発信者に関する属性、情報種別、情報の緊急度、又は情報の重要度等に基づいて、強調表示することができる。
【００８６】
＜自機の表示＞
表示制御部４３は、情報設定部４４により第２表示領域に自機に対応する第２アイコンを表示するように設定されている場合、図３Ｂに示すように、自機の送信した最新のメッセージに対応する第１アイコン（「コンビニ」）を、第２表示領域に表示された、自機に対応する第２アイコン（Ｋ）に関連付けて、第２表示領域に表示することができる。
【００８７】
＜現在走行中の道路地図上への表示＞
表示制御部４３は、例えば図３Ｃに示すように、通信可能な他の移動機器（Ｌ）から受信したメッセージに対応する第１アイコン（「了解」）を表示部１１に表示される現在走行中の道路地図上に表示された、他の移動機器（Ｌ）に対応する第２アイコン（Ｌ）のそれぞれに関連付けて、例えば当該第２アイコンの上に表示する。
そうすることで、ユーザーは、現在通信可能な他の移動機器から受信した定型（かつ定形）文メッセージを道路地図上に表示された第２アイコンと第１アイコンの関連付けによる表示で容易に把握することができる。
この場合、表示制御部４３は、当該移動機器から送信された（すなわち、自機が当該移動機器から受信した）最新のメッセージに対応する第１アイコンを表示する。
【００８８】
＜自機の表示＞
図示しないが、情報設定部４４の設定により、表示制御部４３は、自機の送信した最新のメッセージに対応する第１アイコンを、表示部１１に表示される現在走行中の道路地図上に表示された、自機に対応する第２アイコンに関連付けて、例えば当該第２アイコンの上に表示することができる。
【００８９】
＜情報設定部＞
すでに述べたように、情報設定部４４は、第１アイコンの表示形態及び第２アイコンの表示形態について、予め設定することができる。
【００９０】
情報設定部４４は、第２表示領域に表示される第２アイコンの表示順序を予め設定する。例えば、第２アイコンに優先順位(例えば、ツーリング仲間を最優先にする等)を設定することができる。優先順位が同じ場合には、例えば５０音順(アルファベット順）にしたがって表示することができる。また、接続した時刻にしたがって、例えば、接続した時刻の時系列の新しい順又は古い順にしたがって、表示するように設定することができる。
【００９１】
情報設定部４４は、自機と第２アイコンとの対応づけを予め設定する。そうすることで、自機と通信可能な他の移動機器において、自機を当該第２アイコンにより表示することができる。
【００９２】
情報設定部４４は、第２表示領域に自機に対応する第２アイコンを表示するかどうかを設定する。
この場合、図３Ｂに示すように、自車両１の送信した最新のメッセージに対応する第１アイコン（「コンビニ」）を、第２表示領域に表示された、自機に対応する第２アイコン（Ｋ）に関連付けて、第２表示領域に表示することができる。
【００９３】
情報設定部４４は、自機の送信した最新のメッセージに対応する第１アイコンを、表示部１１に表示される現在走行中の道路地図上に表示された、自機に対応する第２アイコンに関連付けて表示するかどうかを設定する。
【００９４】
なお、情報設定部４４により予め設定された設定情報は、表示制御部４３の稼働中に、ユーザーの指示により、変更することができる。そうすることで、柔軟に表示方法を変更することができる。
【００９５】
＜メッセージ処理部＞
メッセージ処理部４５は、他の移動機器に対してユーザーの指示によりコミュニケーション情報を送信する場合、ＧＰＳ処理部３１を介して自車両１の現在位置を取得し、また、現在時間を計時部（図示せず）から取得し、コミュニケーション情報を生成し、情報発信部２２を介して他の情報発信源に対してコミュニケーション情報を送信する。
【００９６】
＜定型（かつ定形）文メッセージの送信＞
メッセージ処理部４５は、例えばユーザーのタップ操作により、前記第１表示領域に表示された複数の第１アイコンの一覧から１つの第１アイコンが選択されたことに応答して、前記無線通信部２０を介して、表示部１１の第２表示領域に表示された第２アイコンに対応する移動機器に、選択された第１アイコンに対応する定型（かつ定形）文メッセージを送信する。
その際、メッセージ処理部４５は、送信情報履歴部３４４に当該送信情報をログ情報として格納する。
【００９７】
メッセージ処理部４５は、表示部１１の第２表示領域に表示された第２アイコンに対応する移動機器等の通信アドレス情報（例えば、ＩＰアドレス、ＭＡＣアドレス等）を接続テーブル３４３から取得して、送信先アドレスに当該通信アドレスを設定し、送信元アドレスに自機の通信アドレスを設定し、送信データ部に自機に対応する第２アイコンの識別ＩＤ、選択された定型（かつ定形）文メッセージに対応する第１アイコンの識別ＩＤ、時間情報、及び自車両１のＧＰＳ情報等を設定した通信レコードを作成して、情報送信部２２を介して、表示部１１の第２表示領域に表示された第２アイコンに対応する移動機器に送信する。
【００９８】
メッセージ処理部４５は、当該移動機器に送信した上記情報を、送信情報履歴部３４１に格納する。
【００９９】
なお、情報設定部４４により第２表示領域に自機に対応する第２アイコンが表示されるように設定されている場合、表示制御部４３は、自機の送信した上記定型（かつ定形）文メッセージに対応する第１アイコンを、第２表示領域に表示された自機に対応する第２アイコンに関連付けて、例えば隣に表示する。
【０１００】
＜複数の移動機器に同一メッセージの送信＞
また、メッセージ処理部４５は、選択した定型（かつ定形）文メッセージを情報送信部２２を介してブロードキャストすることができる。
【０１０１】
［電子機器２のシステム構成］
次に電子機器２の構成の一例について説明する。
電子機器２は、車載ナビゲーション装置、ＰＮＤ（Ｐｅｒｓｏｎａｌ  Ｎａｖｉｇａｔｉｏｎ  Ｄｅｖｉｃｅ）等を含むナビゲーション装置、スマートフォン等の携帯型端末装置、タブレット端末、ＰＤＡ、ノートパソコン、携帯電話、その他無線通信機能を備える携帯可能な電子機器を含んで構成される。
【０１０２】
なお、車両等が、自転車、歩行者の場合、電子機器２は携帯端末（スマートフォン等）を含んで構成される。
また、車両及び施設等が、道路沿いの店舗、道路沿いの施設、又は道路沿いの路側通信設備等の場合、電子機器は、上記電子機器２と同様の構成を採用することもできる。また、上記無線通信機能を有するコンピュータ、例えば、サーバ、パソコン、タブレットＰＣ、ＰＤＡ等を採用することもできる。
【０１０３】
これら電子機器２の制御部４０、現在位置算出部４１、接続処理部４２、表示制御部４３、情報設定部４４、及びメッセージ処理部４５の実施形態は、例えば、プログラム可能なプロセッサ、又はプログラム可能なコンピュータによる実行のための、コンピュータプログラムとして実装することができる。
また、特殊目的論理回路、例えば、ＦＰＧＡ又はＡＳＩＣ、ファームウェア、デジタル電子回路の形でも実装することができる。
【０１０４】
また、電子機器２の機能を実現するためのプログラムをコンピュータで読み取り可能な記録媒体に記録して、この記録媒体に記録されたプログラムをコンピュータに読み込ませ、実行することによって実現してもよい。
【０１０５】
ここでいう「コンピュータ」とは、ＯＳ及び周辺機器等のハードウェアを含む。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置等を含む。
【０１０６】
また、本発明の１つの実施形態の方法ステップは、本発明の１つの実施形態の機能を実施するためのコンピュータプログラムを実行する１つ又は複数のプログラム可能なプロセッサ又はコンピュータによって実施することができる。また、特殊目的論理回路、例えば、ＦＰＧＡ又はＡＳＩＣ、ファームウェア、デジタル電子回路によって方法ステップを実施することもできる。
【０１０７】
［電子機器２の動作］
電子機器２の動作について説明する。図３Ａ〜図３Ｅ及び図４Ａ〜図４Ｅを参照しながら説明する。これらは、いずれも移動機器（Ｋ）、移動機器（Ｌ）、及び移動機器（Ｍ）が移動中において、メッセージ交換をする場合の一例を示している。
図３Ａ〜図３Ｅは、移動機器（Ｋ）に表示される表示画面を示している。
図４Ａ〜図４Ｅは、移動機器（Ｌ）に表示される表示画面を示している。
なお、説明をわかりやすくするために、図３Ａ〜図３Ｅ及び図４Ａ〜図４Ｅは、情報設定部４４により、第２表示領域に自機に対応する第２アイコンを表示するように設定した場合の画面表示例となっている。
【０１０８】
第２表示領域に自機に対応する第２アイコンを表示しないように設定された場合の電子機器２に表示される表示画面は、図３Ａ〜図３Ｅにおいて、自機（Ｋ）が表示されないものとして、また図４Ａ〜図４Ｅにおいて、自機（Ｌ）が表示されないものとして読み替えることで説明できるので、詳細な説明は省略する。
【０１０９】
移動機器（Ｋ）、移動機器（Ｌ）、及び移動機器（Ｍ）は、通信可能状態になっている。図３Ａ及び図４Ａは、表示制御部１１が、移動機器（Ｋ）、移動機器（Ｌ）、及び移動機器（Ｍ）が接続状態にあることを表示している。
ここで、図３Ａにおいて、移動機器（Ｋ）のユーザー（Ｋ）により、第１表示領域に表示された第１アイコンの一覧から、第１アイコン（「コンビニ」）が選択されることに応答して、メッセージ処理部４５は、移動機器（Ｌ）と移動機器（Ｍ）に第１アイコン（「コンビニ」）の識別ＩＤ、時間情報、ＧＰＳ情報等を送信する。
こうすることで、移動機器（Ｋ）のユーザー（Ｋ）は、簡単にグループのメンバーに「コンビニ」提案をすることができる。
【０１１０】
図３Ｂにおいて、表示制御部４３により、自機の第２アイコン（Ｋ）に関連付けて、第１アイコン（「コンビニ」）が第２表示領域に表示される。
【０１１１】
図４Ｂにおいて、移動機器（Ｌには、移動機器（Ｋ）から「コンビニ」提案メッセージが届いたことが表示される。第２表示領域の第２アイコン（Ｋ）に関連付けて、第１アイコン（「コンビニ」）が第２表示領域に表示されるとともに、現在走行中の道路地図上に表示された第２アイコン（Ｋ）に関連付けて、第１アイコン（「コンビニ」）が表示される。
こうすることで、移動機器（Ｌ）のユーザー（Ｌ）は、移動機器（Ｋ）から「コンビニ」提案があったことを、直感的に簡単に把握する。
【０１１２】
移動機器（Ｌ）のユーザー（Ｌ）により、第１表示領域に表示された第１アイコンの一覧から、第１アイコン（「了解」）が選択されることに応答して、メッセージ処理部４５は、移動機器（Ｋ）と移動機器（Ｍ）に第１アイコン（「了解」）の識別ＩＤ、時間情報、ＧＰＳ情報等を送信する。
こうすることで、移動機器（Ｌ）のユーザー（Ｌ）は、簡単にグループのメンバーに「了解」をすることができる。
【０１１３】
図４Ｃにおいて、移動機器（Ｌ）には、「了解」メッセージが送信されたことが表示される。
【０１１４】
図３Ｃにおいて、移動機器（Ｋ）には、移動機器（Ｌ）から「了解」メッセージが届いたことが表示される。第２表示領域の第２アイコン（Ｌ）に関連付けて、第１アイコン（「了解」）が第２表示領域に表示されるとともに、現在走行中の道路地図上に表示された第２アイコン（Ｌ）に関連付けて、第１アイコン（「了解」）が表示される。
こうすることで、移動機器（Ｋ）のユーザー（Ｋ）は、移動機器（Ｌ）から「了解」されたことを、直感的に簡単に把握する。
【０１１５】
図示しないが、移動機器（Ｍ）のユーザー（Ｍ）により、第１表示領域に表示された第１アイコンの一覧から、第１アイコン（「了解」）が選択されることに応答して、メッセージ処理部４５は、移動機器（Ｋ）と移動機器（Ｌ）に第１アイコン（「了解」）の識別ＩＤ、時間情報、ＧＰＳ情報等を送信する。
【０１１６】
図３Ｄにおいて、移動機器（Ｋ）には、移動機器（Ｍ）から「了解」メッセージが届いたことが表示される。
同様に、図４Ｄにおいて、移動機器（Ｌ）には、移動機器（Ｍ）から「了解」メッセージが届いたことが表示される。
【０１１７】
そこで、移動機器（Ｋ）のユーザー（Ｋ）により、第１表示領域に表示された第１アイコンの一覧から、第１アイコン（「ありがとう」）が選択されることに応答して、メッセージ処理部４５は、移動機器（Ｌ）と移動機器（Ｍ）に第１アイコン（「ありがとう」）の識別ＩＤ、時間情報、ＧＰＳ情報等を送信する。
こうすることで、移動機器（Ｋ）のユーザー（Ｋ）は、簡単にグループのメンバーに、「コンビニ」提案に対して対応してくれたことに「ありがとう」をすることができる。
【０１１８】
図３Ｅにおいて、移動機器（Ｋ）には、「ありがとう」メッセージが送信されたことが表示される。
【０１１９】
図４Ｅにおいて、移動機器（Ｌ）には、移動機器（Ｋ）から「ありがとう」メッセージが届いたことが表示される。
こうすることで、移動機器（Ｌ）のユーザー（Ｌ）は、簡単に移動機器（Ｋ）のユーザー（Ｋ）から、「ありがとう」が送信されたことを簡単に把握することができる。
【０１２０】
なお、図示しないが、移動機器（Ｍ）にも、移動機器（Ｋ）から「ありがとう」メッセージが届いたことが表示される。
【０１２１】
以上のように、本発明のコミュニケーション情報を用いることで、走行中の車同士においてコミュニケーションすることができる。
【０１２２】
＜横断歩道でのコミュニケーション情報例＞
前述したように、歩行者や電動カート利用者と走行中の自動車等の利用者との間で定型（かつ定形）文メッセージのやり取りをすることができる。
図７に示すように、歩行者や電動カート利用者は、道路を横断したい場合、自機の表示部１１に表示されている第１アイコン（「渡ります」）を指定する。
そうすることで、当該メッセージが周辺にブロードキャストされて、例えば周辺を走行中の自動車等から「了解」メッセージを受信することができる。
次に、歩行者や電動カート利用者は、道路を渡ることを伝えるために自機の表示部１１に表示されている第１アイコン（「渡ります」）を指定する。
その後、歩行者や電動カート利用者は道路横断を終えて、周辺の自動車等が停止してくれたことに対して感謝の気持ちを伝えるメッセージを表す第１アイコン（「ありがとう」）を指定することで、当該メッセージが周辺にブロードキャストされる。
このように、複数の第１アイコンの各々の意味する内容が、時間的に前後して関連するものを割り当てられているので、本発明のコミュニケーション情報を用いることで、歩行者や電動カート利用者と走行中の自動車等との間において双方向的にコミュニケーションすることができる。
【０１２３】
＜車車間の交通障害情報例＞
本発明の電子機器２を車内に持ち込んでの走行中に、突発的な工事や落下物等の交通障害に気づくことがある。そのような場合に、このような交通障害情報をすれ違う車や後方の車に、参考情報として伝達したいことがある。
その場合、当該交通障害情報を受信した対向車もその進行方向先で別の対向車に知らせたいことがある。（この場合、別の対向車は、自車にとっては後方車になる。）
このような突発的な工事や落下物等の交通障害情報は、車車間の距離が大きい場合（例えば、ＷｉＦｉダイレクト通信で届かない距離）や、通信手段の設置位置が固定的な路側と車との間の自動送受信では十分対応することが難しい。
【０１２４】
このような場合、本発明のコミュニケーション情報を用いることで、車車間で突発的な工事や落下物等の交通障害情報を伝達することが可能となる。
図７を参照しながら、動作について以下に説明する。
自機（Ｋ）は、例えば、図５に示すように、交通障害に関する定型（かつ定形）文メッセージに対応する第１アイコン（「走行注意」）を自機のメニューに表示する。
なお、第１アイコン（「走行注意」）が表示されていない場合は、例えば、図６に示すように、左端のメニューボタンが切り換えボタンとなっており、当該メニューボタンを押下することで、メニュー間の切り換えを行うようにすることで、ユーザーは第１アイコン（「走行注意」）を自機（Ｋ）の画面上に表示しておくことができる。
なお、図示しないが、自機（Ｋ）のユーザは、定型（かつ定形）文メッセージ（「走行注意」）にユーザー独自のメッセージ（交通情報）をユーザーの指示により、追加設定（カスタマイズ）しておくことができる。そして、自機（Ｋ）は、記憶部３２にカスタマイズした情報を保存する。
自機（Ｋ）は、対向車（Ｌ）と接近して無線通信を接続し、対向車（Ｌ）に対して、ユーザの操作により第１アイコン（「走行注意」）を指定することで、「走行注意」メッセージを送信することができる。
対向車（Ｌ）は、移動機器（Ｋ）から受信した「走行注意」メッセージを表示部１１に表示するとともに、記憶部３２に保存する。
次に、対向車（Ｌ）は、すれ違う別の対向車（Ｍ）（自機（Ｋ）の後方に位置する）と接近して無線通信を接続し、移動機器（Ｋ）から受信した「走行注意」メッセージを別の対向車（Ｍ）に送信する。
別の対向車（Ｍ）は、対向車（Ｌ）から受信した「走行注意」メッセージを表示部１１に表示するとともに、記憶部３２に保存する。
こうすることで、別の対向車（Ｍ）（自機（Ｋ）の後方に位置する）は先行車両（Ｋ）の交通障害に関するメッセージ（「走行注意」）を対向車（Ｌ）を経由して、受信することができ、表示部１１に表示することができる。
【０１２５】
このように、ユーザ独自のメッセージを定型（かつ定形）文メッセージの第１アイコン例えば（「走行注意」）に追加設定することができるため、ユーザーの判断で情報の追加作成が可能である。また、追加設定は、例えば、入力アイコンを表示部１１（例えば、第１表示部）に表示することで、操作が簡単となる。
また、第１表示部に他の第１アイコンとともに用意することで、他の操作を阻害することがない。例えば、他の第１アイコン（「無線会話」）で、前後の他機と会話中であっても、すれ違う対抗車への「走行注意」メッセージの送信が煩わしくなく行うことが可能となる。
【０１２６】
＜道路沿いの施設、又は道路沿いの店舗＞
道路沿いの施設、又は道路沿いの店舗（図示せず）は、例えば、バーゲンセール、クーポンサービス等に関する定型（かつ定形）文メッセージ（例えば、「キャンペーン」、「バーゲンセールス中」、「クーポン」）を送信することで店舗等からの広告宣伝をより一層強調するようにできる。
【０１２７】
＜道路沿いの路側通信設備＞
道路沿いの路側通信設備(図示せず)は、当該道路を走行する車両に対して、例えば渋滞情報等の重要な交通情報に関する定型（かつ定形）文メッセージを発信することができる。道路を走行する自車両１は、道路沿いの路側通信設備に接近すると、自車両１の内部にある電子機器２の表示部１１に表示することができる。
この際、道路沿いの路側通信設備は、情報の緊急度、情報の重要度を発信することにより、表示制御部４３は、当該定型（かつ定形）文メッセージをより強調することで、運転者が直感的に、渋滞情報があるということを把握することができる。
そうすることで、自車両１の運転者は、重要な交通情報を容易に検知できる。
【０１２８】
以上説明した、上記実施形態の定型（かつ定形）文メッセージ交換を行うためのプログラム、方法、及び電子機器２によれば、以下のような効果を奏する。
【０１２９】
（１）上記実施形態の定型（かつ定形）文メッセージ交換を行うためのプログラムにより、電子機器が、表示部１１の第１表示領域に複数の定型（かつ定形）文メッセージに対応する複数の第１アイコンを表示している状態で、少なくとも１つの第１アイコンが指定されたことに応答して、指定された第１アイコンに対応する定型（かつ定形）文メッセージを送信する。
【０１３０】
これにより、自動車等のユーザーは、定型（かつ定形）文メッセージの送信操作を短時間で直感的かつ容易に行うことができ、スムーズなコミュニケーションを図ることができる。
【０１３１】
（２）複数の定型（かつ定形）文メッセージは、通信先からの定型（かつ定形）文メッセージに応答するための第1の定型（かつ定形）文メッセージ、例えば「了解」を含む。
【０１３２】
（３）複数の定型（かつ定形）文メッセージは、前記電子機器の通信した定型（かつ定形）文メッセージに通信先が対応してくれた場合に応答するための第２の定型（かつ定形）文メッセージ、例えば「ありがとう」を含む。
【０１３３】
これにより、自動車等のユーザーは、問い合わせや要求に対する応答メッセージ、又は問い合わせや要求に対して対応してくれた場合の応答メッセージの送信操作を短時間で直感的かつ容易に行うことができ、スムーズなコミュニケーションを図ることができる。
【０１３４】
（４）また、上記実施形態の定型（かつ定形）文メッセージ交換を行うためのプログラムにより、表示制御部４３が、第２アイコンに対応する通信先から定型（かつ定形）文メッセージを受信した場合に、第２表示領域に表示される通信先に対応する第２アイコンに関連付けて、受信した定型（かつ定形）文メッセージに対応する第１アイコンを表示する。
【０１３５】
（５）また、上記実施形態の定型（かつ定形）文メッセージ交換を行うためのプログラムにより、表示制御部４３が、さらに第２表示領域に第２アイコンに関連付けて受信した定型（かつ定形）文メッセージに対応する第１アイコンを表示する際に、以前に受信した定型（かつ定形）文メッセージに対応する第１アイコンが表示されている場合、受信した定型（かつ定形）文メッセージに対応する第１アイコンを、以前に受信した定型（かつ定形）文メッセージに対応する第１アイコンに上書きする。
【０１３６】
（４）及び（５）のプログラムによれば、メッセージ送信者に対応する第２アイコン毎に、最新のメッセージ情報に対応する第１アイコンを関連付けて表示することにより、現在通信可能となっている通信先から受信したメッセージを、直感的かつ容易に確認することができる。
【０１３７】
（６）また、上記実施形態の定型（かつ定形）文メッセージ交換を行うためのプログラムにより、表示制御部４３が、さらに、電子機器２の現在位置を表示部１１に表示し、第１表示領域を、電子機器２の現在位置を示す表示領域外に表示する。
【０１３８】
（６）のプログラムによれば、電子機器の現在位置の表示と、メッセージの送信とを両立させることができる。
【０１３９】
（７）上記実施形態の無線通信部２０と表示部１１とを備える電子機器２が、定型（かつ定形）文メッセージ交換を行うための方法は、表示部１１の第１表示領域に複数の定型（かつ定形）文メッセージに対応する複数の第１アイコンを表示し、表示部１１の第２表示領域に通信先に対応する第２アイコンを表示し、第１表示領域に複数の第１アイコンが表示されている状態で、少なくとも１つの第１アイコンが指定された場合、第２表示領域に表示された第２アイコンに対応する通信先に対して指定された第１アイコンに対応する定型（かつ定形）文メッセージを送信する。
【０１４０】
（８）複数の定型（かつ定形）文メッセージは、通信先からの定型（かつ定形）文メッセージに応答するための定型（かつ定形）文メッセージ（例えば、「了解」）を含む。
【０１４１】
（９）複数の定型（かつ定形）文メッセージは、自機の通信した定型（かつ定形）文メッセージに通信先が対応してくれた場合に応答するための定型（かつ定形）文メッセージ（例えば、「ありがとう」）を含む。
【０１４２】
（１０）さらに、第２アイコンに対応する通信先から定型（かつ定形）文メッセージを受信したことに応答して、第２表示領域に表示される通信先に対応する第２アイコンに関連付けて、第２表示領域に受信した定型（かつ定形）文メッセージに対応する第１アイコンを表示する。
【０１４３】
（７）〜（１０）の方法によれば、（１）〜（４）のプログラムと同様の効果を奏する。
【０１４４】
（１１）上記実施形態の電子機器２は、表示部１１の第１表示領域に複数の定型（かつ定形）文メッセージに対応する複数の第１アイコンを表示し、表示部１１の第２表示領域に通信先に対応する第２アイコンを表示する表示制御部４３と、第１表示領域に複数の第１アイコンが表示されている状態で、少なくとも１つの第１アイコンが指定された場合、第２表示領域に表示された第２アイコンに対応する通信先に対して、前記指定された第１アイコンに対応する定型（かつ定形）文メッセージを送信するメッセージ処理部４５と、を備える。
【０１４５】
（１２）複数の定型（かつ定形）文メッセージは、通信先からの定型（かつ定形）文メッセージに応答するための定型（かつ定形）文メッセージ（例えば「了解」）を含む。
【０１４６】
（１３）複数の定型（かつ定形）文メッセージは、自機の通信した定型（かつ定形）文メッセージに通信先が対応してくれた場合に応答するための第２の定型（かつ定形）文メッセージ（例えば、「ありがとう」）を含む。
【０１４７】
（１４）表示制御部４３は、さらに、第２アイコンに対応する通信先から定型（かつ定形）文メッセージを受信した場合、第２表示領域に表示される記通信先に対応する第２アイコンに関連付けて、受信した定型（かつ定形）文メッセージに対応する第１アイコンを表示する。
これにより、（１）〜（４）のプログラムと同様の効果を奏する。
【０１４８】
以上、本発明の好ましい実施形態につき説明したが、本発明は、上述の実施形態に制限されるものではなく、適宜変更が可能である。
【符号の説明】
【０１４９】
１    自車両
２    電子機器
１１  表示部
１２  スピーカ
１３  マイク
１４  操作部
１５  カメラ
２０  無線通信部
２１  情報受信部
２２  情報送信部
３１  ＧＰＳ処理部
３２  記憶部
３４１  第２アイコンリスト
３４２  定型（かつ定形）文メッセージリスト
３４３  接続テーブル
３４４  送信情報履歴部
３４５  受信情報履歴部
４０  制御部
４１  現在位置算出部
４２  接続処理部
４３  表示制御部
４４  情報設定部
４５  メッセージ処理部
【図１】
2015170098.tif 000003
【図２】
2015170098.tif 000004
【図３Ａ】
2015170098.tif 000005
【図３Ｂ】
2015170098.tif 000006
【図３Ｃ】
2015170098.tif 000007
【図３Ｄ】
2015170098.tif 000008
【図３Ｅ】
2015170098.tif 000009
【図４Ａ】
2015170098.tif 000010
【図４Ｂ】
2015170098.tif 000011
【図４Ｃ】
2015170098.tif 000012
【図４Ｄ】
2015170098.tif 000013
【図４Ｅ】
2015170098.tif 000014
【図５】
2015170098.tif 000015
【図６】
2015170098.tif 000016
【図７】
2015170098.tif 000017
【図８】
2015170098.tif 000018